(57)【要約】【課題】他の遊技店や他の遊技台から持ち込んだ遊技媒体を各遊技台に対応して設けられた各台対応装置に計数させる不正行為や、器具を用いて計数センサを誤動作させる不正なゴト行為の危険性の有無を判定する遊技媒体取扱システム及び各台対応装置を提供する。【解決手段】各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、計数処理が行われることを検知する計数処理検知部と、遊技台への遊技媒体の払出しを行わせるための操作を受付ける払出操作受付部と、払出操作受付部が払出操作を受付けたことを検知する払出操作検知部と、払出操作検知部による検知結果に基づいて、計数処理が異常である可能性があると判定する異常計数判定部とを有する遊技媒体取扱システムとした。【選択図】図１
2010220777.tif 000002
【特許請求の範囲】
【請求項１】
各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、
前記計数処理が行われることを検知する計数処理検知部と、
遊技台への遊技媒体の払出しを行わせるための操作を受付ける払出操作受付部と、
前記払出操作受付部が払出操作を受付けたことを検知する払出操作検知部と、
前記払出操作検知部による検知結果に基づいて、前記計数処理が異常である可能性があると判定する異常計数判定部と
を有することを特徴とする遊技媒体取扱システム。
【請求項２】
前記払出操作検知部による検知結果に関する払出操作情報を記憶する払出操作情報記憶部を備え、
前記異常計数判定部は、
前記払出操作情報に基づいて、払出操作が行われていないにも関わらず、計数処理が行われる場合に、当該計数処理が異常であると判定することを特徴とする請求項１に記載の遊技媒体取扱システム。
【請求項３】
前記異常計数判定部により、前記計数処理が異常である可能性があると判定された場合に、その旨を報知する報知部を有することを特徴とする請求項１又は請求項２に記載の遊技媒体取扱システム。
【請求項４】
前記払出操作検知部により、前記払出操作受付部が払出操作を受付けたことが検知されてから所定時間が経過した場合、又は、所定の初期化処理が行われた場合に、前記払出操作情報記憶部の前記払出操作情報を初期化する情報初期化部を有することを特徴とする請求項２又は請求項３に記載の遊技媒体取扱システム。
【請求項５】
各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、
前記計数処理を阻止する計数阻止状態と、前記計数処理を許容する計数許容状態とに変位する計数処理規制部と、
遊技台への遊技媒体の払出を行わせるための操作を受付ける払出操作受付部と、
前記払出操作受付部が払出操作を受付けたことを検知する払出操作検知部と、
前記払出操作検知部による検知結果に基づいて、前記計数処理が異常である可能性があると判定する異常計数判定部と
を有することを特徴とする遊技媒体取扱システム。
【請求項６】
前記計数処理規制部は、前記払出操作検知部により、前記払出操作受付部が払出操作を受付けたことが検知されるまで、前記計数阻止状態を保持し、前記払出操作検知部により、前記払出操作受付部が払出操作を受付けたことが検知された場合に、前記計数許容状態に変位することを特徴とする請求項５に記載の遊技媒体取扱システム。
【請求項７】
前記計数処理規制部は、前記計数阻止状態に変位してから所定時間が経過した場合、又は、所定の初期化処理が行われた場合に、前記計数許容状態に変位することを特徴とする請求項５又は請求項６に記載の遊技媒体取扱システム。
【請求項８】
各遊技台に対応して設けられ、遊技に使用される遊技媒体の払出処理を行うと共に、遊技客が獲得した遊技媒体の計数処理を行うことが可能な各台対応装置であって、
前記計数処理が行われることを検知する計数処理検知部と、
遊技台への遊技媒体の払出しを行わせるための操作を受付ける払出操作受付部と、
前記払出操作受付部が払出操作を受付けたことを検知する払出操作検知部と、
前記払出操作検知部による検知結果に基づいて、前記計数処理が異常である可能性があると判定する異常計数判定部と
を有することを特徴とする各台対応装置。
【請求項９】
各遊技台に対応して設けられ、遊技に使用される遊技媒体の払出処理を行うと共に、遊技客が獲得した遊技媒体の計数処理を行うことが可能な各台対応装置であって、
前記計数処理を阻止する計数阻止状態と、前記計数処理を許容する計数許容状態とに変位する計数処理規制部と、
遊技台への遊技媒体の払出を行わせるための操作を受付ける払出操作受付部と、
前記払出操作受付部が払出操作を受付けたことを検知する払出操作検知部と、
前記払出操作検知部による検知結果に基づいて、前記計数処理が異常である可能性があると判定する異常計数判定部と
を有することを特徴とする各台対応装置。
【発明の詳細な説明】
【技術分野】
【０００１】
本発明は、遊技媒体取扱システム及び各台対応装置に関するものであり、特に、他の遊技店又は他の遊技台から持ち込んだ遊技媒体を各遊技台に対応して設けられた各台対応装置に計数させる不正行為や、器具を用いて計数センサを誤動作させる不正なゴト行為の危険性の有無を判定する遊技媒体取扱システム及び各台対応装置に関するものである。
【背景技術】
【０００２】
従来、パチンコ台や所謂パチスロ機等の遊技台から払出された遊技媒体を計数する計数装置として、各遊技台に併設され、対応する遊技台から払出された遊技媒体をそれぞれ計数する各台計数機能を備えた計数装置が知られている（たとえば、特許文献１参照）。
【０００３】
この種の計数装置は、遊技者から現金又は所定のカードを受付け、遊技者により遊技媒体の貸出しボタンが操作されると、遊技媒体を払出して遊技媒体の貸出しを行う。
【０００４】
また、この計数装置は、遊技の結果、遊技台から払出された遊技媒体を遊技台の受け皿から回収して計数し、その計数値を遊技者が獲得した遊技媒体として記憶する。そして、計数装置は、遊技者により遊技媒体の返却ボタンが操作されると、遊技媒体を払出して遊技者へ返却し、記憶している計数値から返却した分の遊技媒体数を減算する。遊技終了時には、計数値を関連付けられたカードが払出され、遊技者はそのカードを持って景品カウンターへ行って景品交換を行える。
【０００５】
このような各台計数機能を備えた計数装置の導入により、遊技者は計数機に計数値として記憶された遊技媒体を用いて遊技を行うことがきると共に、獲得した遊技媒体数を認識しながら遊技を行うことができる。また、遊技者は、重い遊技媒体（例えば、パチンコ玉等）を持ち運ぶ必要がなく、閉店時間間際でも計数機に並ぶ必要がない。
【０００６】
また、遊技場にとっては、遊技台から払出された遊技媒体を遊技中に逐次回収することができるため、遊技場内で流通させる遊技媒体数を減少させることができるので、遊技場の運営コストを低減することができる。
【先行技術文献】
【特許文献】
【０００７】
【特許文献１】特開２００７−２２９１１１号公報
【発明の概要】
【発明が解決しようとする課題】
【０００８】
しかしながら、上記従来の各台計数機能を備えた計数装置では、他の遊技店や他の遊技台から遊技媒体が持ち込まれた場合に、その持込遊技媒体が計数装置に対応する遊技台から払出された遊技媒体として、そのまま計数してしまう。
【０００９】
遊技店によっては、遊技媒体を持っての遊技台の移動を禁止している店舗もある。たとえば、同じ遊技店内であっても遊技媒体と景品との交換率が異なる遊技コーナーを設けている遊技店では、遊技媒体を持っての遊技台の移動を禁止している。
【００１０】
かかる店舗の場合、交換率の低い遊技コーナーで獲得した遊技媒体が交換率の高い遊技コーナーで使用されると、その遊技店にとって不利益が生じる。また、遊技媒体を持っての遊技台の移動を禁止していない遊技店であっても、他店から持ち込まれた遊技媒体が計数装置で計数されて景品と交換された場合には、その遊技店にとって不利益が生じる。
【００１１】
しかしながら、従来の各台計数機能を備えた計数装置では、店員の監視が不十分となり、他の遊技店又は他の遊技台から持ち込まれた遊技媒体が、その計数装置で計数されるという問題があった。また、器具を用いて計数センサを誤動作させる不正行為（所謂、ゴト行為等）も後を絶たない。
【００１２】
本発明は、上記に鑑みてなされたものであって、他の遊技店又は他の遊技台から持ち込んだ遊技媒体を各遊技台に対応して設けられた各台対応装置に計数させる不正行為や、器具を用いて計数センサを誤動作させる不正なゴト行為の危険性の有無を判定することができる遊技媒体取扱システム及び各台対応装置を提供することを目的とする。
【課題を解決するための手段】
【００１３】
上述して課題を解決し、目的を達成するために、本発明では、各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、前記計数処理が行われることを検知する計数処理検知部と、遊技台への遊技媒体の払出しを行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する遊技媒体取扱システムを提供することとした。
【００１４】
また、本発明は、前記遊技媒体取扱システムにおいて、前記払出操作検知部による検知結果に関する払出操作情報を記憶する払出操作情報記憶部を備え、前記異常計数判定部は、前記払出操作情報に基づいて、払出操作が行われていないにも関わらず、計数処理が行われる場合に、当該計数処理が異常であると判定することを特徴とする。
【００１５】
また、本発明は、前記遊技媒体取扱システムにおいて、前記異常計数判定部により、前記計数処理が異常である可能性があると判定された場合に、その旨を報知する報知部を有することを特徴とする。
【００１６】
また、本発明は、前記遊技媒体取扱システムにおいて、前記払出操作検知部により、前記払出操作受付部が払出操作を受付けたことが検知されてから所定時間が経過した場合、又は、所定の初期化処理が行われた場合に、前記払出操作情報記憶部の前記払出操作情報を初期化する情報初期化部を有することを特徴とする。
【００１７】
また、本発明では、各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、前記計数処理を阻止する計数阻止状態と、前記計数処理を許容する計数許容状態とに変位する計数処理規制部と、遊技台への遊技媒体の払出を行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する遊技媒体取扱システムを提供することとした。
【００１８】
また、本発明は、前記遊技媒体取扱システムにおいて、前記計数処理規制部は、前記払出操作検知部により、前記払出操作受付部が払出操作を受付けたことが検知されるまで、前記計数阻止状態を保持し、前記払出操作検知部により、前記払出操作受付部が払出操作を受付けたことが検知された場合に、前記計数許容状態に変位することを特徴とする。
【００１９】
また、本発明は、前記遊技媒体取扱システムにおいて、前記計数処理規制部は、前記計数阻止状態に変位してから所定時間が経過した場合、又は、所定の初期化処理が行われた場合に、前記計数許容状態に変位することを特徴とする。
【００２０】
また、本発明では、各遊技台に対応して設けられ、遊技に使用される遊技媒体の払出処理を行うと共に、遊技客が獲得した遊技媒体の計数処理を行うことが可能な各台対応装置であって、前記計数処理が行われることを検知する計数処理検知部と、遊技台への遊技媒体の払出しを行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する各台対応装置を提供することとした。
【００２１】
また、本発明では、各遊技台に対応して設けられ、遊技に使用される遊技媒体の払出処理を行うと共に、遊技客が獲得した遊技媒体の計数処理を行うことが可能な各台対応装置であって、前記計数処理を阻止する計数阻止状態と、前記計数処理を許容する計数許容状態とに変位する計数処理規制部と、遊技台への遊技媒体の払出を行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する各台対応装置を提供することとした。
【発明の効果】
【００２２】
本発明では、各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、前記計数処理が行われることを検知する計数処理検知部と、遊技台への遊技媒体の払出しを行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する遊技媒体取扱システムを提供することとしたため、払出操作受付部が操作されたか否かを監視しておくだけで、複雑な判定処理を要することなく、容易に他の遊技店又は他の遊技台から持ち込んだ遊技媒体を各台対応装置に計数させる不正行為や、器具を用いて計数センサを誤動作させる不正なゴト行為の危険性の有無を判定することができる。
【００２３】
また、本発明では、前記遊技媒体取扱システムにおいて、前記払出操作検知部による検知結果に関する払出操作情報を記憶する払出操作情報記憶部を備え、前記異常計数判定部は、前記払出操作情報に基づいて、払出操作が行われていないにも関わらず、計数処理が行われる場合に、当該計数処理が異常であると判定することを特徴とするため、他の遊技店又は他の遊技台から持ち込んだ遊技媒体を各台対応装置に計数させる不正行為や、器具を用いて計数センサを誤動作させる不正なゴト行為の危険性の有無を判定することができる。
【００２４】
また、本発明は、前記遊技媒体取扱システムにおいて、前記異常計数判定部により、前記計数処理が異常である可能性があると判定された場合に、その旨を報知する報知部を有することを特徴とするため、報知部による報知によって、他の遊技店又は他の遊技台から持ち込んだ遊技媒体の不正な計数行為や、器具を用いて計数センサを誤動作させる不正なゴト行為の危険性に関する注意を喚起することができる。
【００２５】
また、本発明は、前記遊技媒体取扱システムにおいて、前記払出操作検知部により、前記払出操作受付部が払出操作を受付けたことが検知されてから所定時間が経過した場合、又は、所定の初期化処理が行われた場合に、前記払出操作情報記憶部の前記払出操作情報を初期化する情報初期化部を有することを特徴とするため、一度払出操作受付部を操作してから他の遊技店又は他の遊技台から持ち込んだ遊技媒体を使用する等といったより悪質な行為や、器具を用いて計数センサを誤動作させる不正なゴト行為を検知することができる。
【００２６】
また、本発明では、各遊技台に対応して設けられ、遊技に使用される遊技媒体の払出処理を行うと共に、遊技客が獲得した遊技媒体の計数処理を行うことが可能な各台対応装置を含む遊技媒体取扱システムであって、前記計数処理を阻止する計数阻止状態と、前記計数処理を許容する計数許容状態とに変位する計数処理規制部と、遊技台への遊技媒体の払出を行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する遊技媒体取扱システムを提供することとしたため、払出操作受付部が操作されたか否かを監視しておくだけで、複雑な判定処理を要することなく容易に他の遊技店又は他の遊技台から持ち込んだ遊技媒体を各台対応装置に計数させる不正行為や、器具を用いて計数センサを誤動作させる不正なゴト行為の危険性の有無を判定することができ、不正行為の発生を抑制することができる。
【００２７】
また、本発明は、前記遊技媒体取扱システムにおいて、前記計数処理規制部は、前記払出操作検知部により、前記払出操作受付部が払出操作を受付けたことが検知されるまで、前記計数阻止状態を保持し、前記払出操作検知部により、前記払出操作受付部が払出操作を受付けたことが検知された場合に、前記計数許容状態に変位することを特徴とするため、払出操作を行わなければ、各台対応装置による計数を行わせることができないようにすることができるので、他の遊技店又は他の遊技台から持ち込んだ遊技媒体だけを使用して獲得した遊技媒体を各台対応装置に計数させる不正行為や、器具を用いて計数センサを誤動作させる不正なゴト行為の発生を防止することができる。
【００２８】
本発明は、前記遊技媒体取扱システムにおいて、前記計数処理規制部は、前記計数阻止状態に変位してから所定時間が経過した場合、又は、所定の初期化処理が行われた場合に、前記計数許容状態に変位することを特徴とするため、一度払出操作受付部を操作してから他の遊技店又は他の遊技台から持ち込んだ遊技媒体を使用して獲得した遊技媒体を各台対応装置に計数させる不正行為や、器具を用いて計数センサを誤動作させる不正なゴト行為等といった悪質な行為を容易には行えないようにすることができる。
【００２９】
また、本発明では、各遊技台に対応して設けられ、遊技に使用される遊技媒体の払出処理を行うと共に、遊技客が獲得した遊技媒体の計数処理を行うことが可能な各台対応装置であって、前記計数処理が行われることを検知する計数処理検知部と、遊技台への遊技媒体の払出しを行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する各台対応装置を提供することとしたため、払出操作受付部が操作されたか否かを監視しておくだけで、複雑な判定処理を要することなく、他の遊技店又は他の遊技台から持ち込んだ遊技媒体を当該各台対応装置に計数させる不正行為や、器具を用いて計数センサを誤動作させる不正なゴト行為の危険性の有無を容易に判定することができる。
【００３０】
また、本発明では、各遊技台に対応して設けられ、遊技に使用される遊技媒体の払出処理を行うと共に、遊技客が獲得した遊技媒体の計数処理を行うことが可能な各台対応装置であって、前記計数処理を阻止する計数阻止状態と、前記計数処理を許容する計数許容状態とに変位する計数処理規制部と、遊技台への遊技媒体の払出を行わせるための操作を受付ける払出操作受付部と、前記払出操作受付部が払出操作を受付けたことを検知する払出操作検知部と、前記払出操作検知部による検知結果に基づいて、前記計数処理が異常である可能性があると判定する異常計数判定部とを有する各台対応装置を提供することとしたため、払出操作受付部が操作されたか否かを監視しておくだけで、複雑な判定処理を要することなく容易に他の遊技店又は他の遊技台から持ち込んだ遊技媒体を各台対応装置に計数させる不正行為や、器具を用いて計数センサを誤動作させる不正なゴト行為の危険性の有無を判定することができ、不正行為の発生を抑制することができる。
【図面の簡単な説明】
【００３１】
【図１】図１は、第１実施形態に係るＣＲユニットの外観を示す説明図である。
【図２】図２は、第１実施形態に係る遊技媒体取扱システムの構成、及び不正計数行為の危険性の有無の判定から注意喚起を行うまでの手順を示す説明図である。
【図３】図３は、第１実施形態に係るＣＲユニットの構成を示す機能ブロック図である。
【図４】図４は、第１実施形態に係るＣＲユニットの制御部で実行される処理を示すフローチャートである。
【図５】図５は、第２実施形態に係るＣＲユニットの構成を示す機能ブロック図である。
【図６】図６は、第２実施形態に係るＣＲユニットの制御部で実行される処理を示すフローチャートである。
【発明を実施するための形態】
【００３２】
以下、本発明に係る遊技媒体取扱システム及び各台対応装置の実施形態について、図面を参照して説明する。本実施形態では、パチンコ店などの遊技店に設置される複数の各パチンコ台に併設され、パチンコ玉の払出機能と対応するパチンコ台から払出されたパチンコ玉を計数する各台計数機能とを備えた各台対応装置（以下、「ＣＲユニット」という。）と、遊技店内におけるパチンコ玉の流通状態を統括管理する管理装置とを備えた遊技媒体取扱システムに対して、本発明を適用した場合を例に挙げて説明する。
【００３３】
なお、本発明に係る遊技媒体取扱システムは、パチンコ玉以外に、所謂パチスロ機で使用されるメダル等、任意の遊技媒体を計数する遊技媒体取扱システムにも適用することができる。
【００３４】
（第１実施形態）
図１は、第１実施形態に係るＣＲユニットの外観を示す説明図である。図１に示すように、ＣＲユニット１は、各パチンコ台Ｐに対応して併設され、遊技者の操作に基づいて、対応するパチンコ台Ｐへのパチンコ玉の払出しや、パチンコ台Ｐの下皿からパチンコ玉を受付けて、パチンコ玉の計数を行う装置である。
【００３５】
このＣＲユニット１は、状態表示部２と、紙幣受付部３と、リモコン受光部４と、表示操作部５と、払出部６と、カード受付部７と、玉計数機構８とを備えている。なお、図１中の符号１３は、後述の一般カードや会員カードの残高を表示する台側表示部、符号１４は、パチンコ台Ｐに設けられたカード返却ボタン、符号１５は、玉貸ボタン、符号Ｐ１は、パチンコ台Ｐ内部に設けられパチンコ玉を払出す玉投出部である。
【００３６】
状態表示部２は、ＣＲユニット１の上部に設けられたランプであり、このランプの点灯、消灯、点滅等によって、カード受付部７におけるカードの挿入状態や、ＣＲユニット１のエラー発生状態等を報知する報知部として機能するものである。
【００３７】
特に、状態表示部２は、後述の異常計数判定部１６ａ（図３参照）により、他の遊技店や他のパチンコ台Ｐから持ち込まれたパチンコ玉（以下、「持込玉」という。）が玉計数部１１により計数（異常計数）される危険性ありと判定された場合に、特定の点灯パターンで点灯することによって、不正な計数処理が行われるおそれがあることを報知する。
【００３８】
このように、ＣＲユニット１では、状態表示部２により、不正な計数処理が行われるおそれがあることを報知することによって、遊技店内の店員等に不正な計数が行われる危険性に関する注意を喚起することができる。
【００３９】
紙幣受付部３は、遊技店からパチンコ玉を借り受けるために遊技者が挿入する紙幣を受付ける。また、リモコン受光部４は、店員が持つリモコン装置からの赤外線を受光する。
【００４０】
表示操作部５は、後述の会員カード又は一般カードに関連付けて記憶されているパチンコ玉数を示す情報を表示する他、遊技者が払出部６からパチンコ玉の払出しを行わせるために操作する払出ボタンとして機能するアイコン（以下、「払出ボタン」という。）や、カード受付部７に挿入されているカードの返却を行わせるために操作するカード返却ボタンとして機能するアイコン（以下、「カード返却ボタン」という。）等を表示する。
【００４１】
払出部６は、遊技者が獲得したパチンコ玉（以下、「持玉」という。）の返却や、遊技者が遊技店に預けているパチンコ玉（以下、「貯玉」という。）の払戻し（再プレイ）に基づく玉の払出しを行う。なお、遊技者により挿入される一般カードや会員カードに関連付けられているプリペイド価値や紙幣に基づいて、玉貸ボタン１５の操作により貸し出されるパチンコ玉は、パチンコ台Ｐの玉投出部Ｐ１から払出される。また、大当たり時の賞玉も、この玉投出部Ｐ１から払出される。
【００４２】
カード受付部７は、遊技者から挿入される会員カード、一般カード等の遊技に使用する所定のカードを受付ける。このカード受付部７は、内部に複数枚の一般カードを保留しており、現金で遊技を開始した遊技者が遊技を終了する際に、残ったプリペイド価値や持玉を関連付けて排出する。
【００４３】
ここで、会員カードとは、予め遊技店に会員登録した遊技者（以下、「会員」という。）へ配布されるカードである。この会員カードには、会員が遊技により獲得した持玉数と会員が以前に獲得して遊技店に預け入れておいた貯玉数とが関連付けられている。
【００４４】
また、会員カードには、プリペイド価値も関連付けられる。この会員カードは、会員がＣＲユニット１に挿入した状態で現金を挿入し、プリペイド価値が残った状態でカード返却を行うと、そのプリペイド価値の残高が関連付けられて返却される。
【００４５】
また、一般カードには、会員以外の一般の遊技者がパチンコ玉を借り受けるために支払った金額から、借り受けたパチンコ玉数分の価値が差引かれた残額（プリペイド価値）と、遊技者が遊技により獲得した持玉数とが関連付けられている。
【００４６】
また、玉計数機構８は、玉貯留部９、持玉返却ボタン１０、玉計数部１１、計数結果表示部１２等を備えている。
【００４７】
そして、このＣＲユニット１は、会員カードがカード受付部７に挿入され、表示操作部５に表示される貯玉用の払出ボタン（貯玉再プレイボタン）が操作されると、払出部６からパチンコ台Ｐへパチンコ玉を払出す。なお、このとき貯玉数から払出された分と所定の手数料分のパチンコ玉数が減算される。
【００４８】
また、ＣＲユニット１は、会員カード又は一般カードがカード受付部７に挿入され、持玉返却ボタン１０が操作されると、払出部６からパチンコ台Ｐへパチンコ玉を払出す。なお、このとき、持玉数から払出された分のパチンコ玉数が減算される。
【００４９】
そして、遊技者は、払出部６又はパチンコ台Ｐの玉投出部Ｐ１から払出されたパチンコ玉を用いて遊技を行い、遊技により獲得されたパチンコ玉はパチンコ台Ｐの上皿へ払出され、上皿が一杯になると下皿へ貯留される。この下皿に貯留されたパチンコ玉は、遊技者が下皿に設けられたストッパを解除することによって、玉計数機構８の玉貯留部９へ導入される。
【００５０】
その後、玉貯留部９へ導入されたパチンコ玉は、玉貯留部９から玉計数部１１へ導入されて自動的に計数される。そして、この計数結果は、計数結果表示部１２に表示される。
【００５１】
上記のように、ＣＲユニット１では、他の遊技店や他の遊技台からの持込玉が使用されるという不正行為や、器具を用いて計数センサを誤動作させる不正なゴト行為がない場合には、遊技を開始する際や遊技の途中で必ず持玉返却ボタン１０、又は、パチンコ台Ｐの玉貸ボタン１５が操作されることが予測される。
【００５２】
この点に着目して、第１実施形態のＣＲユニット１は、持玉返却ボタン１０やパチンコ台Ｐの玉貸ボタン１５等の払出操作受付部による払出操作が行われたことを検知し、その検知結果に基づいて、持込玉を玉計数部１１に計数させる不正行為や、器具を用いて計数センサを誤動作させる不正なゴト行為の危険性があるか否かを判定する。
【００５３】
このように、ＣＲユニット１は、払出操作受付部が操作されたか否かを監視しておくだけで、複雑な判定処理を要することなく、容易に他の遊技店又は他のパチンコ台Ｐからの持込玉を玉計数部１１に計数させる不正行為や、器具を用いて計数センサを誤動作させる不正なゴト行為の危険性の有無を判定することができる。
【００５４】
さらに、このＣＲユニット１を備えた遊技体計数システムでは、ＣＲユニット１に持込玉を計数させる不正行為や、器具を用いて計数センサを誤動作させる不正なゴト行為の危険性があると判定された場合に、その旨を報知することによって、不正な計数処理に関する注意を喚起するように構成している。
【００５５】
図２は、第１実施形態に係る遊技媒体取扱システムの構成、及び不正計数行為の危険性の有無の判定から注意喚起を行うまでの手順を示す説明図である。図２に示すように、第１実施形態に係る遊技媒体取扱システムは、ＣＲユニット１と、管理装置４０と、島端報知部５０とを備えている。
【００５６】
各ＣＲユニット１と島端報知部５０とは島コントローラ３０を介して通信可能に接続されている。また、各ＣＲユニット１と管理装置４０とは、島コントローラ３０を介して通信可能に接続されている。また、各パチンコ台Ｐも島コントローラ３０を介して管理装置４０と通信可能に接続されている。
【００５７】
管理装置４０は、各ＣＲユニット１及びパチンコＰ台から払出されたパチンコ玉数に関する情報や、各会員の貯玉数に関する情報、会員カード及び一般カードに関連付けられた持玉数やプリペイド価値に関する情報等を統括管理する装置である。この管理装置４０は、パーソナルコンピュータ等の情報処理装置により構成している。
【００５８】
そして、この管理装置４０は、各種情報を表示するディスプレイＤ、オペレータが情報を入力する入力装置（キーボードやマウス等）、各遊技者の持玉数や各会員の貯玉数、会員カード及び一般カードに関連付けられたプリペイド価値等を記憶する記憶装置等を備えている。特に、記憶装置には、各ＣＲユニット１により、他の遊技店又は他のパチンコ台Ｐからの持込玉が玉計数部１１によって計数される危険性があると判定された判定結果に関する情報（以下、「エラー情報」という。）が記憶されている。
【００５９】
このように、管理装置４０にエラー情報を記憶させて蓄積しておくことにより、各エラー情報を送信してきたＣＲユニット１に対する監視を強化して、不正な計数処理の発生を予防することができる。
【００６０】
島端報知部５０は、複数のパチンコ台Ｐが設置された遊技コーナー（遊技島）の端に設けられた表示装置である。この島端報知部５０は、通常消灯状態となっており、パチンコ台Ｐで大当たりが発生した場合や、パチンコ台Ｐにエラーが発生した場合、遊技者が店員を呼出す場合等に点灯状態となる。
【００６１】
そして、この遊技媒体取扱システムでは、ＣＲユニット１が持玉返却ボタン１０、又は、パチンコ台Ｐの玉貸ボタン１５が操作されたことを検知すると、その検知結果に関する払出操作情報を払出操作フラグとして所定の記憶部（たとえば、メモリ部１９（図３参照）等）に記憶させる。
【００６２】
このとき、ＣＲユニット１では、払出操作が検知されていれば、払出操作フラグをＯＮとし、払出操作が行われていなければ、払出操作フラグをＯＦＦとするようにしている。
【００６３】
そして、ＣＲユニット１は、持玉返却ボタン１０や玉貸ボタン１５等による払出操作がないにも関わらず、計数処理が行われた場合（１）、つまり、払出操作フラグがＯＦＦであるにも関わらず、玉計数部１１の計数センサ（図３参照）が玉を検知した場合に、持込玉が玉計数部１１で計数される危険性があると判定する。このように、本実施形態では、玉計数部１１の計数センサが、計数処理が行われることを検知する計数処理検知部として機能する。
【００６４】
その後、ＣＲユニット１は、持込玉が玉計数部１１で計数される危険性があると判定した判定結果を示す判定信号を管理装置４０と島端報知部５０とへ向けて送信する（２）。そして、ＣＲユニット１は、当該ＣＲユニット１の上部に設けられた状態表示部２を特定の点灯パターンで点灯（点滅）させることによって、周辺の店員等に不正な計数が行われる危険性があることを報知して注意を喚起する（３）。
【００６５】
この報知により、特定の点灯パターンで状態表示部２が点灯しているＣＲユニット１の近くにいる店員は、そのＣＲユニット１で不正な計数が行われていないか否かを監視することができるため、不正な計数が行われたことを発見することができると共に、不正な計数行為の発生を未然に防止することができる。
【００６６】
また、島端報知部５０は、ＣＲユニット１から前述の判定信号を受信すると、ＣＲユニット１と同様に特定の点灯パターンによる点灯（点滅）を行うことによって、不正な計数が行われる危険性があることを報知して注意を喚起する（４）。
【００６７】
このように、島端報知部５０により、持込玉が玉計数部１１で計数される危険性があると判定されたこと報知することによって、不正計数の危険性ありと判定されたＣＲユニット１から比較的離れた場所にいる店員に対しても不正な計数が行われる危険性があることを報知して注意を喚起することができる。
【００６８】
また、管理装置４０は、ＣＲユニット１から前述の判定信号を受信すると、その判定信号を送信してきたＣＲユニット１のエラー情報として記憶すると共に、当該管理装置４０のオペレータに対して、不正な計数が行われる危険性があることをディスプレイＤに表示させて報知することにより注意を喚起する（５）。このとき、例えば、「ＯＯ番台、持込玉計数の可能性あり！」等という情報をディスプレイＤに表示する。
【００６９】
このように、第１実施形態に係る遊技媒体取扱システムでは、ＣＲユニット１が持込玉が計数される危険性がある場合に、ＣＲユニット１の状態表示部２、島端報知部５０、管理装置４０のディスプレイＤによって、同時に持込玉が計数される危険性があること報知して注意を喚起することができるため、店員等にそのＣＲユニット１を監視させることができ、容易に不正な計数が行われたことを発見することができると共に、不正な計数行為の発生を未然に防止することができる。このように、本実施形態では、ＣＲユニット１の状態表示部３、島端報知部５０、管理装置４０のディスプレイＤが本発明における報知部として機能する。
【００７０】
また、ＣＲユニット１は、持玉返却ボタン１０やパチンコ台Ｐの玉貸ボタン１５等の払出操作受付部の操作を検知してから所定時間（たとえば、１０分）が経過した場合、又は、開店処理や閉店処理等の所定の初期化処理が行われた場合に、払出操作フラグをＯＦＦにして、払出操作情報を初期化する。
【００７１】
また、ＣＲユニット１は、払出操作がないだけでなく、パチンコ台Ｐから遊技状態が大当たりになったことを示す大当たり信号の受信がない状態が所定時間を越えて継続したときに、タイムオーバーで払出操作フラグをＯＦＦにする。これは、払出操作を行わなくても、大当たりが出て賞玉で遊技を継続して、賞玉を計数することは正当な計数行為とみなせるからである。
【００７２】
このように、ＣＲユニット１では、一旦、払出操作フラグをＯＮにしても、上記所定の条件が成立した場合には、払出操作フラグをＯＦＦにして払出操作情報の初期化を行うので、一度だけ払出操作受付部を操作してから持込玉を使用する等といったより悪質な行為を検知することができる。
【００７３】
また、このＣＲユニット１では、払出操作の有無に基づいて不正計数であるか否かを判断するため、正当な遊技者については、計数開始時に係員による承認操作や、計数を開始するための所定の操作を必要とせず、違和感なく遊技できる。
【００７４】
次に、第１実施形態のＣＲユニット１の構成について、図３を参照して説明する。図３は、第１実施形態に係るＣＲユニット１の構成を示す機能ブロック図である。同図では、第１実施形態のＣＲユニット１における特徴的構成要件と関係ない構成要件については、一部図示を省略している。
【００７５】
図３に示すように、ＣＲユニット１は、状態表示部２と、紙幣識別部３ａと、リモコン受光部４と、表示操作部５と、払出部６と、カードリーダライタ部（カードＲ／Ｗ部）７ａと、玉計数機構８と、通信Ｉ／Ｆ部１７と、タイマ部１８と、メモリ部１９と、電源部２０と、台Ｉ／Ｆ部２１と、制御部１６とを備えている。
【００７６】
状態表示部２は、制御部１６の制御に従って点灯と消灯とを行うランプにより構成している。この状態表示部２は、ランプの点灯、消灯、点滅のパターンの違いによって、カード受付部７におけるカードの挿入状態や、ＣＲユニット１のエラー発生状態等を報知する。さらに、状態表示部２は、後述の異常計数判定部１６ａにより持込玉が計数される危険性があると判定された場合に、特定の点灯パターンによる点灯を行う。
【００７７】
紙幣識別部３ａは、紙幣受付部３内部に設けられる識別装置である。この紙幣識別部３ａは、遊技者から投入された紙幣を識別して、その紙幣の金額に対応する金額情報を制御部１６へ出力する。この金額情報が入力されると制御部１６は、カード受付部７に挿入されている会員カード又は一般カードに金額情報を関連付ける処理を行う。
【００７８】
リモコン受光部４は、店員等が持つ所定のリモコン装置からの赤外線を受光するものである。店員は、リモコン装置を操作して、ＣＲユニット１との間で赤外線通信を行わせることにより、ＣＲユニット１の開店処理や閉店処理等といった所定の初期化処理、ＣＲユニット１のエラー解除等を行う。なお、通常、開店処理や閉店処理の処理要求は、管理装置４０から店内の全てのＣＲユニット１へ送信される。
【００７９】
表示操作部５は、タッチパネル機能を備えた表示装置により構成している。この表示操作部５は、会員カード又は一般カードに関連付けて記憶されているパチンコ玉数を示す情報を表示する他、貯玉の払出を行わせるために遊技者が操作する払出ボタン等の各種操作ボタンとして機能する画像（アイコン）を表示する。
【００８０】
そして、表示操作部５は、表示中のアイコンが触れられると、そのアイコンに対応する操作信号を制御部１６へ出力する。制御部１６は、表示操作部５から入力される操作信号に基づいて、たとえば、払出部６にパチンコ玉の払出を行わせる制御等を行う。
【００８１】
第１実施形態では、この表示操作部５に表示される払出ボタン（貯玉再プレイボタン）、持玉返却ボタン１０、紙幣識別部３ａ、カードＲ／Ｗ部７ａがパチンコ台Ｐへの遊技媒体の払出しを行わせるための操作を受付ける払出操作受付部として機能すると共に、払出操作受付部が払出操作を受付けたことを検知する払出操作検知部としても機能する。
【００８２】
払出部６は、制御部１６による制御に従って、カード受付部７に挿入されている会員カードや一般カードに関連付けられている持玉や貯玉をパチンコ台Ｐへ払出す処理部である。なお、プリペイド価値を使って貸し出されるパチンコ玉（貸玉）は、パチンコ台Ｐの玉投出部Ｐ１から払出される。
【００８３】
この場合、パチンコ台Ｐの玉貸ボタン１５が、パチンコ台Ｐの玉投出部Ｐ１にパチンコ玉の払出を行わせるための操作を受付ける払出操作受付部として機能すると共に、払出操作受付部が払出操作を受付けたことを検知する払出操作検知部としても機能する。
【００８４】
カードＲ／Ｗ７ａは、カード受付部７の内部に設けられたリーダ／ライタ装置である。このカードＲ／Ｗ７ａは、払出部６によりパチンコ玉の払出が行われた場合に、制御部１６の制御に従って、会員カードや一般カードの記録情報を読取ったり、会員カードや一般カードに記録されている持玉数やプリペイド価値の書換え処理を行う。
【００８５】
玉計数機構８は、玉貯留部９と、持玉返却ボタン１０と、玉計数部１１と、計数結果表示部１２とを備えている。この玉計数機構８は、玉貯留部９へパチンコ玉が導入されると、玉計数部１１が自動的に計数処理を開始する。また、玉計数部１１の内部には、計数センサを有するパチンコ玉の計数通路が形成されている。
【００８６】
玉貯留部８にパチンコ玉が投入されると、そのパチンコ玉は計数通路を流れて計数センサにて計数され、計数値が計数結果表示部１２に表示される。また、持玉返却ボタン１０が押下されると、持玉返却信号が制御部１６へ送られる。これを受けて、払出部６にパチンコ玉を払出させ、その分の玉数を減算して計数結果表示部１２に減算表示させる。
【００８７】
通信Ｉ／Ｆ部１７は、このＣＲユニット１と島コントローラ３０を介した管理装置４０や島コントローラ３０との間で情報通信を行うための通信インターフェースである。
【００８８】
この通信Ｉ／Ｆ部１７は、制御部１６から持込玉が玉計数部１１で計数される危険性があると判定されたことを示す判定信号が入力された場合に、その判定信号を管理装置４０と島端報知部５０とへ向けて送信する。
【００８９】
タイマ部１８は、持玉返却ボタン１０やパチンコ台Ｐの玉貸ボタン１５等の払出操作受付部が操作されたときに計時を開始し、再び操作されることがないまま、計時開始から所定時間が経過したときに、その旨を示す計時信号を制御部１６へ出力する。
【００９０】
メモリ部１９は、払出操作フラグ１９ａを記憶する一時記憶装置である。このメモリ部１９は、制御部１６が表示操作部５の持玉返却ボタン１０やパチンコ台Ｐの玉貸ボタン１５等の払出操作受付部から操作信号が入力された場合に、制御部１６の制御に基づいて払出操作フラグ１９ａをＯＮとする。
【００９１】
また、メモリ部１９は、制御部１６がタイマ部１８から計時信号が入力されたときや、パチンコ台Ｐから遊技状態が大当たりになったことを示す大当たり信号の受信がない状態が所定時間を越えて継続したときに、制御部１６の制御に基づいて、払出操作フラグ１９ａをＯＦＦとする。電源部２０は、外部からＣＲユニット１への電力の入力部である。
【００９２】
台Ｉ／Ｆ部２１は、ＣＲユニット１とパチンコ台Ｐとの間で情報通信を行うための通信インターフェースである。この台Ｉ／Ｆ部２１は、パチンコ台Ｐから玉貸ボタン１５が操作されたことを示す操作信号やカード返却ボタン１４が操作されたことを示す操作信号を受信して、制御部１６へ入力する。
【００９３】
また、台Ｉ／Ｆ部２１は、玉貸ボタン１５の操作に基づいてパチンコ玉が払出された場合に、度数が減算された会員カードや一般カードの残度数（プリペイド価値の残度数）を示す情報をパチンコ台Ｐへ送信する。この情報を受信すると、パチンコ台Ｐは、台側表示部１３にプリペイド価値の残度数を表示させる。
【００９４】
また、台Ｉ／Ｆ部２１は、玉貸が指示されると、パチンコ台Ｐの玉投出部Ｐ１に対して投出信号を送信する。そして、台Ｉ／Ｆ部２１は、玉貸が行われると、減算後のプリペイド価値を台側表示部１３に表示させる。また、台Ｉ／Ｆ部２１は、パチンコ台Ｐで大当たりが発生すると、パチンコ台Ｐから大当たり信号を受ける。
【００９５】
制御部１６は、ＣＰＵ（Central Processing Unit）とＲＯＭ（Read Only Memory）とＲＡＭ（Random Access Memory）とを有する情報処理装置を備えており、ＣＰＵがＲＯＭから各種プログラムを読出し、ＲＡＭを作業領域として使用して実行することにより、ＣＲユニット１全体の動作を統括制御する。このＣＰＵが実行する処理については後に詳述する。
【００９６】
特に、この制御部１６は、ＣＰＵがＲＯＭに記憶している異常計数判定プログラムを実行することによって機能する異常計数判定部１６ａを備えている。この異常計数判定部１６ａは、表示操作部５の払出ボタンやパチンコ台Ｐの玉貸ボタン１５等の払出操作受付部が操作された場合に、メモリ部１９の払出操作フラグ１９ａをＯＮ状態にすると共に、タイマ部１８に計時を開始させる。
【００９７】
その後、異常計数判定部１６ａは、計時部から計時開始から所定時間が経過したことを示す計時信号が入力された場合に、メモリ部１９内に記憶している払出操作フラグ１９ａをＯＦＦ状態にする。
【００９８】
また、異常計数判定部１６ａは、管理装置４０から開店処理又は閉店処理を要求する信号が入力された場合に、メモリ部１９内に記憶している払出操作フラグ１９ａをＯＦＦ状態にする。
【００９９】
そして、異常計数判定部１６ａは、計数センサがパチンコ玉を検知した計数信号が入力されたときに、メモリ部１９を参照して、払出操作フラグ１９ａがＯＦＦ状態であった場合に、他の遊技店や他のパチンコ台Ｐからの持込玉が玉計数部１１により計数される危険性があると判定して、その判定結果を示す判定信号を状態表示部２と通信Ｉ／Ｆ部１７とへ出力する。
【０１００】
この判定信号が入力されると、状態表示部２は特定の点灯パターンによる点灯を行う。また、通信Ｉ／Ｆ部１７は、異常計数判定部１６ａから入力された判定信号を管理装置４０と島端報知部５０とへ向けて送信する。
【０１０１】
次に、制御部１６が備えるＣＰＵが異常計数判定プログラムを実行した場合に行う処理について、図４を参照して説明する。図４は、第１実施形態に係るＣＲユニット１の制御部１６で実行される処理を示すフローチャートである。
【０１０２】
ＣＲユニット１に電源が投入されると、図４に示すように、ＣＰＵは、まず、持玉返却ボタン１０やパチンコ台Ｐの玉貸ボタン１５からの入力される操作信号に基づいて、払出操作があったか否かの判定を行う（ステップＳ１０１）。
【０１０３】
そして、ＣＰＵは、払出操作があったと判定した場合に（ステップＳ１０１：Ｙｅｓ）、払出操作フラグ１９ａをＯＮ状態とし（ステップＳ１０２）、その後、払出部６やパチンコ台Ｐの玉投出部Ｐ１にパチンコ玉の払出しを行わせて（ステップＳ１０３）、処理をステップＳ１０４へ移す。一方、ＣＰＵは、払出操作がなかったと判定した場合（ステップＳ１０１：Ｎｏ）、処理をステップＳ１０４へ移す。
【０１０４】
ステップＳ１０４において、ＣＰＵは、タイマ部１８から入力される計時信号に基づいて、払出操作フラグ１９ａをＯＮ状態にしてから所定時間が経過したか否かの判定を行い、所定時間が経過したと判定した場合に（ステップＳ１０４：Ｙｅｓ）、処理をステップＳ１１２へ移す。一方ＣＰＵは、所定時間が経過していないと判定した場合（ステップＳ１０４：Ｎｏ）、処理をステップＳ１０５へ移す。
【０１０５】
ステップＳ１０５において、ＣＰＵは、開店処理があったか否かの判定を行う。この開店処理は、営業開始時に、管理装置４０から各ＣＲユニット１へ送信（指示）される。このとき、プリペイド価値や持玉データの残存や、装置の故障等をチェックする。そして、異常があれば発報し、店員による異常解消後、待機状態に入る。一方、異常がなければ、そのまま待機状態に入る。
【０１０６】
そして、ＣＰＵは、開店処理があったと判定した場合に（ステップＳ１０５：Ｙｅｓ）、処理をステップＳ１１２へ移し、払出操作フラグ１９ａをＯＮ状態とする。一方、ＣＰＵは、開店処理がなかったと判定した場合（ステップＳ１０５：Ｎｏ）、閉店処理があったか否かの判定を行う（ステップＳ１０６）。
【０１０７】
この閉店処理は、営業終了時に、管理装置４０から各ＣＲユニット１へ送信（指示）される。このとき、プリペイド価値や持玉データに残存や、装置の故障等をチェックする。異常があれば発報し、店員による異常解消後、ダウンする。一方、異常がなければ、そのままダウンする。本実施形態では、メモリ部１９の払出操作フラグ１９ａをチェックし、ＯＮ状態であればＯＦＦ状態に書換えて、ダウンする。ＯＦＦ状態であれば、そのままダウンする。
【０１０８】
そして、ＣＰＵは、閉店処理があったと判定した場合に（ステップＳ１０６：Ｙｅｓ）、払出操作フラグ１９ａをＯＦＦ状態にして（ステップＳ１１３）、処理を終了する。一方、ＣＰＵは、閉店処理がなかったと判定した場合（ステップＳ１０６：Ｎｏ）、処理をステップＳ１０７へ移す。
【０１０９】
ステップＳ１０７において、ＣＰＵは、玉計数部１１の計数センサからの計数信号に基づいて、計数センサがパチンコ玉を検知したか否かの判定を行い、パチンコ玉を検知したと判定した場合に（ステップＳ１０７：Ｙｅｓ）、処理をステップＳ１０８へ移す。一方、ＣＰＵは、計数センサがパチンコ玉を検知しなかったと判定した場合（ステップＳ１０７：Ｎｏ）、処理をステップＳ１０１へ移す。
【０１１０】
ステップＳ１０８において、ＣＰＵは、計数処理を開始した後、メモリ部１９を参照して払出操作フラグ１９ａがＯＮ状態であるか否かの判定を行い（ステップＳ１０９）、払出操作フラグ１９ａがＯＮ状態であると判定した場合に（ステップＳ１０９：Ｙｅｓ）、処理をステップＳ１１１へ移す。一方、ＣＰＵは、払出操作フラグ１９ａがＯＦＦ状態であると判定した場合（ステップＳ１０９：Ｎｏ）、処理をステップＳ１１０へ移す。
【０１１１】
ステップＳ１１０において、ＣＰＵは、報知処理を行う。この報知処理において、ＣＰＵは、他の遊技店や他のパチンコ台Ｐからの持込玉が玉計数部１１により計数される危険性があると判定した判定結果を示す判定信号を状態表示部２と管理装置４０と島端報知部５０とへ向けて出力して、処理をステップＳ１１１へ移す。
【０１１２】
ステップＳ１１１において、ＣＰＵは、パチンコ玉の計数が終了したか否かの判定を行い、計数が終了したと判定した場合に（ステップＳ１１１：Ｙｅｓ）、処理を終了して再度ステップＳ１０１から処理を開始する。一方、ＣＰＵは、計数が終了していないと判定した場合（ステップＳ１１１：Ｎｏ）、処理をステップＳ１０８へ移す。
【０１１３】
なお、計数異常（不正計数）の有無に関わらず、投入されたパチンコ玉は計数通路を流下するので、計数値はメモリ等に記憶され、店員のリモコン操作により出力可能とする。これにより、不正行為であった場合には証拠となり、製造な計数であった場合（誤動作等）、計数値を保証する。
【０１１４】
上記した第１実施形態の遊技媒体取扱システムでは、異常計数判定部１６ａは、他の遊技店や他のパチンコ台Ｐからの持込玉が玉計数部１１により計数される危険性があると判定された場合に、その判定結果を示す判定信号を状態表示部２と管理装置４０と島端報知部５０とへ向けて出力して、不正計数が行われる危険性を状態表示部２と管理装置４０と島端報知部５０とにより報知させる場合を例に挙げて説明したが、状態表示部２、管理装置４０、島端報知部５０以外の他の装置へ判定信号を送信するようにシステムを構成してもよい。
【０１１５】
また、上記した処理では、払出操作フラグ１９ａをＯＮ状態とする条件として、玉貸ボタン１５等の押下を検知することとしたが、玉貸ボタン１５等の押下を受けて、実際にパチンコ玉が払出されることを条件としてもよく、紙幣やカード（会員カード、一般カード）が挿入されたことを条件としてもよい。
【０１１６】
また、上記した処理では、計数通路上の計数センサがパチンコ玉を検知することによって計数処理を検知したが、計数センサとは別に、玉貯留部９に玉投入センサを設け、このセンサが計数処理を検知するようにしてもよい。
【０１１７】
また、遊技店内の複数個所にＣＲユニット１と通信可能に接続された監視カメラを設け、異常計数判定部１６ａが不正計数の危険性があると判定した場合に、そのＣＲユニット１を監視している監視カメラへ判定信号を送信するようにシステムを構成してもよい。
【０１１８】
かかる構成とする場合、異常計数判定部１６ａから判定信号を受信したときに、監視カメラにより判定信号に対応するＣＲユニット１をズームアップで撮影させる。そして、ズームアップで撮影された映像を管理装置４０へ送信してエラー情報とともに管理させる。
【０１１９】
これにより、状態表示部２や島端報知部５０によって不正計数に関する報知が行われているときに、店員が別の作業を行っている場合であっても、不正計数が行われる危険性があるＣＲユニット１を監視することができる。
【０１２０】
また、異常計数判定部１６ａが不正計数の危険性があると判定した場合に、各店員が使用しているインカム（業務連絡用のヘッドセット）や、リモコン装置等の携帯装置へ判定信号を送信するようにシステムを構成してもよい。
【０１２１】
かかる構成とすることにより、状態表示部２や島端報知部５０によって不正計数に関する報知が行われているときに、店員が別の作業で報知に気づかない場合であっても、不正計数の危険性が生じたことを各店員へ通知することができる。
【０１２２】
また、第１実施形態では、遊技者によるパチンコ玉の払出操作の一例として、持玉返却ボタン１０とパチンコ台Ｐの玉貸ボタン１５とを取り上げて説明したが、これら以外に、たとえば、貨幣の投入操作や、会員カード、一般カード等をカード受付部７へ挿入する操作、払出部６から実際にパチンコ玉が払出されたこと等を払出操作として異常計数判定部１６ａに検知させるように構成してもよい。
【０１２３】
かかる構成とした場合、異常計数判定部１６ａは、たとえば、開店後、玉貸なしに計数操作が検知された場合、カード受付部７がカードを受付けた後に玉貸操作や払出操作なしに計数操作が検知された場合、カード残高（持玉、貯玉、プリペイド残高等）やパチンコ台Ｐ上の持玉が「０」になった後に計数操作が検知された場合、カード受付部７からカードを返却した後に玉貸操作や払出操作なしに計数操作が検知された場合等に、不正計数が行われる危険性があると判定する。
【０１２４】
不正計数が行われる危険性が生じたことの報知を行う条件は、払出操作がない状態で計数操作が行われた場合だけではなく、この場合に加えて他の条件を設けてもよい。たとえば、玉計数の最中もしくは、その直後（たとえば、数秒間等の所定時間内）に、現金の投入や、玉貸ボタン１５の操作、払出ボタンの操作等が行われる不自然な現象が発生した場合に、不正計数が行われる危険性が生じたことの報知を行うようにしてもよい。
【０１２５】
（第２実施形態）
次に、本発明の第２実施形態について説明する。第２実施形態に係るＣＲユニット１ａは、その外観的構成に関して第１実施形態に係るＣＲユニット１と略同一の構成であるため、ここでは、その説明を省略する。
【０１２６】
図５は、第２実施形態に係るＣＲユニット１ａの構成を示す機能ブロック図である。なお、以下の説明において、第１実施形態のＣＲユニット１と同様の機能を備えた構成要件については、同一の符号を付することにより、その説明を省略する。
【０１２７】
図５に示すように、このＣＲユニット１ａは、第１実施形態のＣＲユニット１の構成要件に加えて、玉計数機構８にシャッタ部２２を備えている点と、メモリ部１９内に払出操作フラグ１９ａが記憶されていない点、異常計数判定部１６ａに代えて、シャッタ制御部１６ｂを備えている点以外は、第１実施形態のＣＲユニット１と同様の構成をしている。
【０１２８】
シャッタ部２２は、パチンコ台Ｐの下皿から玉計数機構８へのパチンコ玉の導入を禁止することによって計数処理を阻止する計数阻止状態と、パチンコ台Ｐの下皿から玉計数機構８へのパチンコ玉の導入を可能とすることによって計数処理を許容する計数許容状態とに変位する計数処理規制部として機能するシャッタを備えている。具体的には、このシャッタは、パチンコ玉の投入口を遮蔽したり、内部の計数通路を遮蔽する構造がとられる。
【０１２９】
シャッタ制御部１６ｂは、制御部１６が備えるＣＰＵが所定のシャッタ制御プログラムを実行することによって機能する処理部である。このシャッタ制御部１６ｂは、表示操作部５の払出ボタンやパチンコ台Ｐの玉貸ボタン１５等の払出操作受付部による払出操作が行われたことが検知された場合に、その検知結果に基づいてシャッタ部２２の動作を制御する計数規制制御部として機能する。
【０１３０】
具体的には、シャッタ制御部１６ｂは、払出操作受付部の操作が検知されるまで、シャッタ部２２を計数阻止状態に保持させ、払出操作受付部が操作されたことが検知された場合に、シャッタ部２２を計数許容状態に変位させる制御を行う。
【０１３１】
これにより、払出操作受付部が操作されなければ、シャッタ部２２は閉塞状態を保持するため、このＣＲユニット１ａにより玉貸操作や払出操作を行わずに、他の遊技店や他のパチンコ台Ｐからの持込玉で遊技を行って獲得したパチンコ玉を計数しようとしても、そのパチンコ玉を玉計数機構８へ導入させることができないので、不正な計数が行われることを防止することができる。
【０１３２】
このように、このＣＲユニット１ａでは、払出操作受付部が操作されたか否かを監視しておくだけで、複雑な判定処理を要することなく容易に他の遊技店又は他の遊技台から持ち込まれた遊技媒体が当該遊技媒体計数装置によって計数される危険性の有無を判定して、持込玉だけを使用して獲得したパチンコ玉が玉計数部１１により計数されることを防止することができる。
【０１３３】
また、このＣＲユニット１ａでは、シャッタ制御部１６ｂがシャッタ部２２を前述の計数許容状態に変位させてから所定時間（たとえば、１０分）が経過した場合、又は、開店処理や閉店処理等の所定の初期化処理が行われた場合に、シャッタ部２２を前述の計数阻止状態に変位させる。
【０１３４】
具体的には、シャッタ制御部１６ｂは、シャッタ部２２を開放状態に変位させた時点でタイマ部１８に計時を開始させる。タイマ部１８は、計時を開始してから所定時間が経過したときに、シャッタ制御部１６ｂへ所定時間が経過したことを示す計時信号を出力する。この計時信号が入力されると、シャッタ制御部１６ｂは、開放状態のシャッタ部２２を閉塞状態に閉塞させる。
【０１３５】
このようにシャッタ部２２の動作を制御するため、このＣＲユニット１ａによれば、一度払出操作受付部を操作してから持込玉を使用して獲得したパチンコ玉を玉計数部１１に計数させる等といったより悪質な行為を容易には行えないようにすることができる。
【０１３６】
次に、第２実施形態に係るＣＲユニット１ａの制御部１６が備えるＣＰＵがシャッタ制御プログラムを実行した場合に行う処理について、図６を参照して説明する。第２実施形態に係るＣＲユニット１ａの制御部１６で実行される処理を示すフローチャートである。
【０１３７】
ＣＲユニット１ａに電源が投入されると、図６に示すように、ＣＰＵは、まず、表示操作部５の持玉返却ボタン１０やパチンコ台Ｐの玉貸ボタン１５からの入力される操作信号に基づいて、払出操作があったか否かの判定を行う（ステップＳ２０１）。
【０１３８】
そして、ＣＰＵは、払出操作があったと判定した場合に（ステップＳ２０１：Ｙｅｓ）、払出部６やパチンコ台Ｐの玉投出部Ｐ１にパチンコ玉の払出しを行わせ（ステップＳ２０２）、その後、シャッタ部２２のシャッタを開放させてから（ステップＳ２０３）処理をステップＳ２０４へ移す。一方、ＣＰＵは、払出操作がなかったと判定した場合（ステップＳ２０１：Ｎｏ）、処理をステップＳ２０４へ移す。
【０１３９】
ステップＳ２０４において、ＣＰＵは、タイマ部１８から入力される計時信号に基づいて、シャッタを開放状態にしてから払出操作や大当たり信号がないまま所定時間が経過したか否かの判定を行い、所定時間が経過したと判定した場合に（ステップＳ２０４：Ｙｅｓ）、処理をステップＳ２１０へ移す。一方ＣＰＵは、所定時間が経過していないと判定した場合（ステップＳ２０４：Ｎｏ）、処理をステップＳ２０５へ移す。
【０１４０】
ステップＳ２０５において、ＣＰＵは、開店処理があったか否かの判定を行い、開店処理があったと判定した場合に（ステップＳ２０５：Ｙｅｓ）、シャッタ部２２のシャッタを閉鎖させ（ステップＳ２１０）、処理をステップＳ２０１へ移す。一方、ＣＰＵは、開店処理がなかったと判定した場合（ステップＳ２０５：Ｎｏ）、処理をステップＳ２０６へ移す。
【０１４１】
ステップＳ２０６において、ＣＰＵは、閉店処理があったか否かの判定を行い、閉店処理があったと判定した場合に（ステップＳ２０６：Ｙｅｓ）、シャッタ部２２のシャッタを閉鎖させ（ステップＳ２１１）、処理を終了する。一方、ＣＰＵは、閉店処理がなかったと判定した場合（ステップＳ２０６：Ｎｏ）、処理をステップＳ２０７へ移す。
【０１４２】
ステップＳ２０７において、ＣＰＵは、玉計数部１１の計数センサからの計数信号に基づいて、計数センサがパチンコ玉を検知したか否かの判定を行い、パチンコ玉を検知したと判定した場合に（ステップＳ２０７：Ｙｅｓ）、処理をステップＳ２０８へ移す。一方、ＣＰＵは、計数センサがパチンコ玉を検知しなかったと判定した場合（ステップＳ２０７：Ｎｏ）、処理をステップＳ２０４へ移す。
【０１４３】
ステップＳ２０８において、ＣＰＵは、パチンコ玉の計数処理を行い、その後、パチンコ玉の計数が終了したか否かの判定を行い、計数が終了したと判定した場合に（ステップＳ２０８：Ｙｅｓ）、処理を終了して再度ステップＳ２０１から処理を開始する。一方、ＣＰＵは、計数が終了していないと判定した場合（ステップＳ２０９：Ｎｏ）、処理をステップＳ２０８へ移す。
【０１４４】
上記した図６のフローチャートでは、説明を省略したが、ＣＰＵは、割込み処理として、パチンコ台Ｐから大当たり遊技が発生したことを示す信号を受信した場合には、シャッタを開放状態とする。この場合、ＣＰＵは、パチンコ台Ｐから大当たり遊技が終了した信号を受信してから所定時間が経過したときに、シャッタを閉塞状態に戻す処理を行う。
【０１４５】
上記した処理では、払出操作の有無に基づいてシャッタを開放して計数が可能となるため、正当な遊技者については、計数開始時に係員による承認操作や、計数を開始するための所定操作を必要とせず、違和感なく遊技できる。
【０１４６】
また、上記した第１実施形態のＣＲユニット１及び第２実施形態のＣＲユニット１ａでは、払出操作受付部が操作されたか否かを検知して、持込玉が計数される危険性を判定しているが、確実に持込玉が計数されたことを検知できるようにＣＲユニットを構成してもよい。
【０１４７】
具体的には、ＣＲユニット１、１ａに管理装置４０からカード受付部７に挿入されているカード（会員カード又は一般カード）に関連付けて管理されている持玉数を取得する持玉数取得部と、パチンコ台Ｐから、当該パチンコ台Ｐにより回収されたパチンコ玉（以下、「アウト玉」という。）数と、そのパチンコ台Ｐから賞球として払出されたパチンコ玉（以下、「セーフ玉」という。）数とを取得するアウト／セーフ玉数取得部と、払出部６から払出されたパチンコ玉（以下、「払出玉」という。）数を取得する払出玉取得部とを設ける。
【０１４８】
そして、ＣＲユニット１、１ａの制御部１６により、「持玉数」+「払出玉数」+「セーフ玉数」―「アウト玉数」という演算処理を実行させ、その結果得られた数値が玉計数部１１による計数結果よりも大きければ、パチンコ玉の持込が行われていると判定する。これにより、他の遊技店や他のパチンコ台Ｐからの持込玉の不正計数を確実に判定することができる。
【０１４９】
また、上記した第１及び第２実施形態では、各パチンコ台Ｐに併設され、対応するパチンコ台Ｐから払出されたパチンコ玉を計数する計数機能を備えたＣＲユニット１、１ａと、各会員の貯玉を管理する管理装置４０とを有する貯玉管理システムに対して、本発明を適用した場合を例に挙げて説明したが、本発明を適用可能な貯玉管理システムは、上記したシステムに限定されるものではない。
【０１５０】
例えば、本発明は、パチンコ玉を計数する計数機能が無く玉貸し機能を備えたＣＲユニットと、パチンコ台Ｐの下皿下方にある膳板上に設置され、ＣＲユニットと通信可能に接続された計数装置と、貯玉を管理する管理装置とを有する貯玉管理システムに対しても適用することができる。
【０１５１】
かかる貯玉管理システムに本発明を適用した場合、膳板上に設置された計数装置とユニットとが協働して不正計数が行われる危険性の有無を判定することとなる。
【０１５２】
また、本発明は、各パチンコ台Ｐに対応して設けられ、玉貸機能を有する第１の台間装置（ＣＲユニット）と、対応するパチンコ台Ｐから払出されたパチンコ玉を計数する各台計数機能を備えた第２の台間装置（計数ユニット）とが併設されたダブルサンド方式の各台計数システムと、貯玉を管理する管理装置とを有する貯玉管理システムに対しても適用することができる。
【０１５３】
かかるダブルサンド方式の各台計数システムを備えた貯玉管理システムに本発明を適用した場合には、計数ユニットとＣＲユニットとが協働して不正計数が行われる危険性の有無を判定することとなる。
【０１５４】
また、本実施形態では、玉計数機構８の玉貯留部９にパチンコ玉が投入された場合に、自動的にパチンコ玉の計数処理を開始する場合を例に挙げて説明したが、玉計数部１１に計数処理を開始させるための計数開始ボタンをＣＲユニット１に別途設ける構成としてもよい。
【０１５５】
かかる構成とする場合、第１実施形態のＣＲユニット１では、異常計数判定部１６ａが遊技者による払出操作がないにも関わらず、計数開始ボタンが操作された場合に、異常計数の可能性があると判定する。これにより、他の遊技店又は他の遊技台から持ち込まれた遊技媒体が玉計数部１１によって計数される危険性の有無を判定することができる。
【符号の説明】
【０１５６】
１、１ａ  ＣＲユニット
２  状態表示部
３  紙幣受付部
４  リモコン受光部
５  表示操作部
６  払出部
７  カード受付部
８  玉計数機構
９  玉貯留部
１０  持玉返却ボタン
１１  玉計数部
１２  計数結果表示部
１３  台側表示部
１４  カード返却ボタン
１５  玉貸ボタン
１６  制御部
１６ａ  異常計数判定部
１６ｂ  シャッタ制御部
１７  通信Ｉ／Ｆ部
１８  タイマ部
１９  メモリ部
１９ａ  払出操作フラグ
２０  電源部
２１  台Ｉ／Ｆ部
２２  シャッタ部
３０  島コントローラ
４０  管理装置
５０  島端報知部
Ｐ  パチンコ台
Ｐ１  玉投出部
Ｄ  ディスプレイ
【図１】
2010220777.tif 000003
【図２】
2010220777.tif 000004
【図３】
2010220777.tif 000005
【図４】
2010220777.tif 000006
【図５】
2010220777.tif 000007
【図６】
2010220777.tif 000008